【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
貨幣品受入器と、
通路が貨幣品受取部分を含んでいる選択的駆動可能なループ状コンベアと、
貨幣品受入器から貨幣品を受け取るための、かつ、払い出される貨幣品の供給物を前記貨幣品受取部分の中へ連続して送り込むための貨幣品保管庫と
が内部に含まれているハウジングを備えてなり、
コンベアは、その上に複数の受器を有し、これらの受器のそれぞれは、使用時に、コンベアが貨幣品受取部分の中における供給物を通過するときに、払い出される貨幣品を引き込むとともにそれを出口箇所へ搬送するように適合されている、
貨幣品払出装置。
【請求項２】
受入器は、
貨幣品の感知された特性の関数としての貨幣品パラメータ信号を生成するための信号供給源と、
パラメータ信号の発生が第１所定値関係を採択した時点を判定し、それに応じて、貨幣品の受入可能性に対応している第１出力信号を提供するように作動することのできる第１処理手段と
を備えている、請求項１に記載の装置。
【請求項３】
貨幣品受入通路と、貨幣品返却通路と、貨幣品の受入可能性に応じて、貨幣品を前記の貨幣品返却通路および貨幣品受入通路の一方へ導くように作動することのできる受入ゲートとをさらに備えている、請求項２に記載の装置。
【請求項４】
受入ゲートは、第１出力信号に応じて作動することができる、請求項３に記載の装置。
【請求項５】
貨幣品返却通路は、貨幣品返却トレイへ通じている、請求項３または４に記載の装置。
【請求項６】
貨幣品受入器によって受け入れられた貨幣品を受け取るとともに、その受け入れられた貨幣品を貨幣品保管庫へ選択的に導くように作動することのできる仕分け手段をさらに備えている、請求項１〜５のいずれか１つに記載の装置。
【請求項７】
仕分け手段は、貨幣品を金庫へ導くようにさらに作動することができる、請求項６に記載の装置。
【請求項８】
第２出力信号を提供するように作動することができる第２出力手段をさらに備えており、仕分け手段は、第２出力信号に応じて貨幣品を導くように作動することができる、請求項６または７に記載の装置。
【請求項９】
通路が第２貨幣品受取部分を含んでいる選択的駆動可能なエンドレスループ状第２コンベアと、
貨幣品受入器から貨幣品を受け取るための、かつ、払い出される貨幣品の第２供給物を前記第２貨幣品受取部分の中へ連続して送り込むための第２貨幣品保管庫とをさらに備えてなり、
第２コンベアは、その上に複数の拾い上げ手段を有し、これらの拾い上げ手段のそれぞれは、使用時に、第２コンベアが第２貨幣品受取部分の中における第２供給物を通過するときに、払い出される貨幣品を引き込むとともにそれを第２出口箇所へ搬送するように適
合されている、
請求項８に記載の装置。
【請求項１０】
仕分け装置は、貨幣品を第２貨幣品保管庫へ選択的に導くようにさらに作動することができる、請求項９に記載の装置。
【請求項１１】
第２出力信号は、貨幣品保管庫の中における貨幣品の数によって決まる、請求項８、９または１０に記載の装置。
【請求項１２】
第２出力信号は、第２貨幣品保管庫の中における貨幣品の数によって決まる、請求項９、１０または１１に記載の装置。
【請求項１３】
第２出力信号は、貨幣品の金種によって決まる、請求項８〜１２のいずれか１つに記載の装置。
【請求項１４】
貨幣品を受器から出口箇所を通して射出するために、力をもたらすように作動することができる射出手段をさらに備えている、請求項１〜１３のいずれか１つに記載の装置。
【請求項１５】
前記射出手段に関連した出口感知手段をさらに備え、この出口感知手段は、受器の１つから移動する貨幣品を検出するように作動することができる、請求項１４に記載の装置。
【請求項１６】
受器から離れる貨幣品を第１出口通路を経由して貨幣品返却トレイへ導くように作動することができる手段と、受器から離れる貨幣品を第２出口通路を経由して金庫へ導くように作動することができる放出手段とをさらに備えている、請求項１〜１５のいずれか１つに記載の装置。
【請求項１７】
貨幣品受入器と、
実質的に円盤状であって、環状に配置された複数の貨幣品受器を有していて、選択可能に駆動することのできる回転部材と、
貨幣品受入器から貨幣品を受け入れるための、かつ、払い出される貨幣品の供給物を前記複数の貨幣品受器の中へ連続して送り込むための貨幣品保管庫と、
貨幣品を出口箇所へ搬送するために回転部材を選択可能に駆動するためのモータと
が内部に含まれているハウジングを備えてなる、
貨幣品払出装置。
【請求項１８】
受入器は、
貨幣品の感知された特性の関数としての貨幣品パラメータ信号を生成するための信号供給源と、
パラメータ信号の発生が第１所定値関係を採択した時点を判定し、それに応じて、貨幣品の受入可能性に対応している第１出力信号を提供するように作動することのできる第１処理手段と
を備えている、
請求項１７に記載の装置。
【請求項１９】
貨幣品受入通路と、貨幣品返却通路と、貨幣品の受入可能性に応じて、貨幣品を前記の貨幣品返却通路および貨幣品受入通路の一方へ導くように作動することのできる受入ゲートとをさらに備えている、請求項１７または１８に記載の装置。
【請求項２０】
受入ゲートは、第１出力信号に応じて作動することができる、請求項１９に記載の装置。
【請求項２１】
貨幣品返却通路は、貨幣品返却トレイへ通じている、請求項１９または２０に記載の装置。
【請求項２２】
貨幣品受入器によって受け入れられた貨幣品を受け取るとともに、その受け入れられた貨幣品を貨幣品保管庫へ選択的に導くように作動することのできる仕分け手段をさらに備えている、請求項１７〜２１のいずれか１つに記載の装置。
【請求項２３】
仕分け手段は、貨幣品を金庫へ導くようにさらに作動することができる、請求項２２に記載の装置。
【請求項２４】
第２出力信号を提供するように作動することのできる第２処理手段をさらに備えており、仕分け手段は、第２出力信号に応じて貨幣品を導くように作動することができる、請求項２２または２３に記載の装置。
【請求項２５】
第２出力信号は、貨幣品保管庫の中における貨幣品の数によって決まる、請求項２４に記載の装置。
【請求項２６】
第２出力信号は、貨幣品の金種によって決まる、請求項２４または２５に記載の装置。
【請求項２７】
貨幣品を受器から出口箇所を通して射出するために、力をもたらすように作動することができる射出手段をさらに備えている、請求項１７〜２６のいずれか１つに記載の装置。
【請求項２８】
前記射出手段に関連した出口感知手段をさらに備え、この出口感知手段は、受器の１つから移動する貨幣品を検出するように作動することができる、請求項２７に記載の装置。
【請求項２９】
受器から離れる貨幣品を第１出口通路を経由して貨幣品返却トレイへ導くように作動することができる手段と、受器から離れる貨幣品を第２出口通路を経由して金庫へ導くように作動することができる放出手段とをさらに備えている、請求項１７〜２８のいずれか１つに記載の装置。
【請求項３０】
通路に第１貨幣品受入部分が含まれていて選択可能に駆動することのできる第１エンドレスループ状コンベアと、
払い出される貨幣品の第１供給物を前記第１貨幣品受入部分の中へ連続して送り込むための第１貨幣品保管庫と
を有している第１ホッパー構成体を備えてなり、
第１コンベアは、その上に複数の受器を有し、これらの受器のそれぞれは、使用時に、第１コンベアが第１貨幣品受入部分の中においてその第１供給物を通過するときに、払い出される貨幣品を引き込むとともにそれを第１出口箇所へ搬送するように適合されている貨幣品払出装置であって、
この貨幣品払出装置は、貨幣品を受け入れるとともにその貨幣品を第１貨幣品保管庫へ選択的に導くように作動することのできる仕分け手段を備え、
この仕分け手段は、その貨幣品を第２ホッパー構成体に関連した第２貨幣品保管庫へ選択的に導くようにさらに作動することができる、
貨幣品払出装置。
【請求項３１】
第２ホッパー構成体をさらに備え、この第２ホッパー構成体は、
通路に第２貨幣品受入部分が含まれていて選択可能に駆動することのできる第２エンドレスループ状コンベアと、
払い出される貨幣品の第２供給物を前記第２貨幣品受入部分の中へ連続して送り込むための第２貨幣品保管庫と
を有し、
第２コンベアは、その上に複数の受器を有し、これらの受器のそれぞれは、使用時に、第２コンベアが第２貨幣品受入部分の中においてその第２供給物を通過するときに、払い出される貨幣品を引き込むとともにそれを第２出口箇所へ搬送するように適合されている、請求項３０に記載の装置。
【請求項３２】
貨幣品受入器をさらに備えている、請求項３１に記載の装置。